(57)【特許請求の範囲】
【請求項１】
ムーブメントおよび文字盤を含むケース（４）  、このケース（４）  を手首に固定する時計バンド（３）  、前記ケース（４）  および時計バンド（３）  に固定されるようになっている組立蓋（２）  を含む時計において、
前記組立蓋（２）  が時計バンド（３）  の受け止め凹部（１１）および前記ケース（４）  のはめ込み手段（１０）を有しており、前記時計を組み立てるときに、前記ケース（４）  が前記受け止め凹部（１１）を覆うようにしたことを特徴とする時計。
【請求項２】
組立蓋（２）  は、その表面の対向する側面に時計バンド（３）  が通る開口（１１’）  を形成する２つの側壁（９）  を含んでいることを特徴とする請求項１に記載の時計。
【請求項３】
組立蓋（２）  の側壁（９）  は、はめ込み手段（１０）を備え、その両端の各々に時計バンドのための凹部（１１）を備えていることを特徴とする請求項２に記載の時計。
【請求項４】
はめ込み手段（１０）が溝で構成されていることを特徴とする請求項３に記載の時計。
【請求項５】
時計バンドのための凹部（１１）が切欠きで構成されていることを特徴とする請求項３に記載の時計。
【請求項６】
ケース（４）  は、その対向する２つの側面に、組立蓋（２）  のはめ込み手段（１０）にカチッと嵌まるようになっているばねで付勢した球（１３）を備えていることを特徴とする請求項１に記載の時計。
【請求項７】
時計バンド（３）  は、その端部の各々に、組立蓋（２）  の受け止め凹部（１１）内に嵌まる堅いピン（１２）を有することを特徴とする請求項１に記載の時計。
【請求項８】
時計バンド（３）  が金属製であることを特徴とする請求項１に記載の時計。
【請求項９】
時計バンド（３）  が革製であることを特徴とする請求項１に記載の時計。
【請求項１０】
組立蓋（２）  は、ケースを受け止めるためにケース（４）  の外部形状に対応する受け止め凹部を有することを特徴とする請求項１に記載の時計。
【発明の詳細な説明】
【０００１】
【発明の属する技術分野】
本発明は、時計バンド等の部品を自由に交換できる時計に関する。
【０００２】
【従来の技術】
時計のバンドは次第に損傷していくものであるので、時計バンドが損傷したときにはこれを交換する手段が設けられている。
【０００３】
一般的に、バンドの締め金具とは反対側のバンド端には、２本の伸縮自在のピンが通されていて、これらのピンの両端は、交換できるように時計ケースの肩部の耳部に設けられた凹部内にはめ込まれるようになっている。
【０００４】
しかし、これらのピンをうまく扱うことが困難であるので、時計のバンドの交換は、どちらかといえば専門職人（宝石職人−時計製造者）が行うことが多い。最近、時計の使用者自身が自分で容易に交換できるいくつかの時計バンドセットを備えた時計が販売されている。
【０００５】
このタイプのものには、時計のケースの両側に２本の中空のパイプが取り付けられていて、これらのパイプの形状に合わせたバンド端部がパイプにはめ込まれるデザインのものがある。
【０００６】
【発明が解決しようとする課題】
本発明は、時計バンドだけではなくムーブメントや文字盤も、いかなる道具も用いずにユーザが容易に交換できる時計を提供することを目的としている。
【０００７】
【課題を解決するための手段】
この目的のために、本発明は、ムーブメントおよび文字盤を含むケース、ケースを手首に固定する時計バンド、ケースおよび時計バンドを相互に連結するようになっている組立蓋を含む時計であって、組立蓋には、時計バンドを受け止める凹部とケースのはめ込み手段とが設けられており、これにより、時計を組み立てるとき、ケースが時計バンドを受け止める凹部を閉じるようになっていることを特徴としている。
【０００８】
好ましくは、本発明の実施例において、次のような特徴がある。
【０００９】
−組立蓋は、その内面の対向する側面に、時計バンドを通すことのできる開口を形成する２つの側壁を含む。
【００１０】
−側壁は、一方で好ましくは溝であるケースのはめ込み手段を有し、他方でその両端において時計バンドを受け止める好ましくは切欠きである凹部を有している。
【００１１】
−ケースは、その対向する２つの側面に、組立蓋のはめ込み手段にはめ込まれる、ばねで付勢した球を含む。
【００１２】
−時計バンドにはその端部のそれぞれにおいて、組立蓋の受け止め凹部に入るようになっている金属棒またはピンが設けられている。
【００１３】
−本発明による時計バンドは、革でも金属でもよい。
【００１４】
−本発明による組立蓋は、ケースの外部形状に対応する受け止め凹部を有してさえいれば、所望のいかなる形状であってもよい。
【００１５】
本発明の他の特徴および利点は、本発明を限定するものではない添付の図面を参照した以下の実施例の説明から明らかになるであろう。
【００１６】
【実施の形態】
図１において、時計１は、組立蓋２、時計バンド３、およびケース４から構成されていることが理解できる。ケース４は、針のムーブメント５、文字盤６、針７、針および針の調整手段８を保護するクリスタルガラスを含む。
【００１７】
図２において、組立蓋は、その下方の面上に、組立蓋２の対向する側面に配置された２つの側壁（はめ込み手段）９を含んでいる。側面にある壁９には、その内部側面のそれぞれに２つの溝１０が設けられており、その両端のそれぞれに切欠き（受け止め凹部）１１が設けられている。さらに、側面にある壁９は、時計バンド３の端が通る２つの対向する開口１１’を形成している。
【００１８】
時計バンド３は、図３に示すように、その端のそれぞれにおいて、時計バンドの端の折り返しに固定された金属等の堅いピン１２を含み、ピンの外側へ延びる両端は、組立蓋２の切欠き１１内に取り付けられるようになっている。
【００１９】
本実施例を変更したものとして、時計バンドの端のピン１２の代わりに、時計バンドのそれぞれの端の対向する側に突出し切欠き１１とともに働くようになっている突出部を設けてもよい。これらの突出部は伸縮自在であってもなくてもよい。
【００２０】
最後に、図４において、ケース４は、その対向する２つの側面に、組立蓋２の溝１０にカチッとはまるようになっているばねで付勢した球１３を含むことが理解できる。
【００２１】
本発明によれば、時計１の取り付けは、以下の順で行われる。
（１）  滑動して組立蓋の切欠き１１に嵌まる金属ピン１２を用いて、時計バンド３を配置する。
（２）  ケース４の裏面を単に押すだけで溝１０にはめ込まれるばねで付勢した球を用いて、ケース４を組立蓋２内に導く。ケース４が組立蓋２内に固定されると、ケース４が組立蓋２の切り欠き１１を塞ぎ、それによって時計バンド３が組立蓋２に固定される。
【００２２】
時計の要素の１つ、たとえばケースを交換するには、これと逆の操作を行うだけで十分である。すなわち、ケース４の表面を単に押すことによってケース４を時計の組立蓋２から分離する。そうすると、切欠き１１が解放され、時計バンド３を引っ込めて交換することができる。
【００２３】
本発明によって、新しいタイプの時計を得ることができる。この時計では、道具を用いずに交換することができるユニット式の３つの要素、すなわち組立蓋２、時計バンド３、ケース４から、ユーザが有する異なる組立蓋、ケース、時計バンドにしたがって、多数の組み合わせを容易に行うことができる。さらに、本発明に係る時計は、上に説明した設計例に限るものではなく、時計の組立蓋は、ケースの外部形状に対応する受け止め凹部を有してさえいれば、所望のいかなる形状であってもよい。時計バンドは革でも金属でもよく、手首に固定する方法として締め金具を用いても、締め金具のない伸長自在の時計バンドであってもよい。
【００２４】
最後に、ケースは、針の調整手段を設けても、自動調整手段を含んでも、デジタル時間表示を行うものであってもよい。
【００２５】
本実施例において、組立蓋の２つの面には、ケースの２つの対応する面に配置したばねで付勢した球とともに働く溝を設けたが、本発明の組立蓋から逸脱することなく、他のはめ込み手段を設けることもできる。たとえば、ケースの１つの面のばねで付勢した球の代わりに、組立蓋の対応する溝にかみ合う固定した突出部を設けてもよい。したがって、ケースまたは組立蓋の交換は、組立蓋の表示面に垂直な方向に挿入する代わりに、突出部によって定められる軸の回りに回転させてなされる。
【００２６】
【有利な効果】
本発明によれば、ユーザが自分の好みの色やデザインの異なる部品、すなわち、時計バンドや他のムーブメントや文字盤も、特別の工具を用いることなく、自由に交換でき、また、その時の服装に合わせて所望の時計に容易に交換できるため１つの時計で多機能の用途に使用することができる。
【図面の簡単な説明】
【図１】本発明による時計の概略平面図である。
【図２】図１の時計の組立蓋の上部からの概略斜視図である。
【図３】図１の時計の時計バンドの１つの脚部の部分概略斜視図である。
【図４】図１の時計のケースの下部からの概略斜視図である。図２ないし４は、本発明による時計の取り付けを示す分解組立図を構成する。
【符号の説明】
１  ・・・  時計
２  ・・・  組立蓋
３  ・・・  時計バンド
４  ・・・  ケース
８  ・・・  側壁
１０  ・・・  溝
１１  ・・・  切欠き
１１’・・・  開口
１２  ・・・  ピン
１３  ・・・  球
【図１】
0003588682.tif 000002
【図２】
0003588682.tif 000003
【図３】
0003588682.tif 000004
【図４】
0003588682.tif 000005